(57)【要約】【課題】            無料で開催される各種のイベントであっても年齢制限を伴なう場合があり、その場合は年齢の確認（チェック）が必要とされるが、従前のシステム装置ではその大部分を占める金銭処理システムも年齢確認システム（機器）と同時に開催場へ搬入、搬出しなければならない煩雑さがあったという点である。【解決手段】        分離可能とした精算の実行または省略する機能を有する自動チェック、精算システムは年齢確認用の種々のカードやページ式の認証用書類を挿入し、そのカード等の真贋を判定するとともに、そのカード等の内容を確認し、その確認による信号で、商品の代金あるいはサービス等の料金の精算の実行または省略する機能により、イベント会場等では精算機能を切り離し前記カード類の確認部のみを実行させ、基地に戻った時点で全システムを再結合し機能を稼動可能とすることとする。【選択図】          図１
2007257432.tif 000002
【特許請求の範囲】
【請求項１】
年齢確認用の種々のカードやページ式の認証用書類を挿入し、そのカード等の真贋を判定するとともに、そのカード等の内容を確認し、その確認による信号で、商品の代金あるいはサービス等の料金の精算の実行または省略する機能により、イベント会場等では精算機能を切り離し前記カード類の確認部のみを実行させ、基地に戻った時点で全システムを再結合し機能を稼動可能とすることを特徴とする分離可能とした精算の実行または省略する機能を有する自動チェック、精算システム。
【請求項２】
複数台の前記カード類の確認部を複数台のＵＳＢ或いはＬＡＮ接続可能としたことを特徴とする請求項１に記載の分離可能とした精算の実行または省略する機能を有する自動チェック、精算システム。
【請求項３】
前記確認部にはＲＦＩＤプレートが固着されており、基地局より切り離す時ＲＦＩＤリーダーライターにより暗号コードが書き込まれ、確認部が基地に戻った時点で前記同様にカードが読み取られ確認できたときその内部に記憶されている情報が読み取れるようにしたことを特徴とする請求項１または請求項２に記載の分離可能とした精算の実行または省略する機能を有する自動チェック、精算システム。
【発明の詳細な説明】
【技術分野】
【０００１】
本発明は自動チェック、精算システム、特に無人の自動販売機、貸出機、各種施設の入場ゲート等にあって、商品の購入の代金やサービス料金の精算の実行または省略する機能を有する自動精算あるいは年齢チェックをするシステムに関し、さらには、当該商品の購入やサービスを受けることについて法令や条例等の規定で年齢制限がある場合の分離可能な自動チェック、精算システムに関する。
【背景技術】
【０００２】
従来より、アルコール飲料、煙草等法的に購入が２０歳未満は禁止される商品や成人向けの書籍類、ビデオテープ、ＣＤ、ＤＶＤ、ハードディスクメモリー、半導体メモリー（メモリースティック）等も自動販売機が利用されているが、近時ではこの利用に際し、年齢確認をするシステムが附加されることが徐々に義務付けられ、促進されている。この年齢確認は成人向けの映画や実演等の入場チケットの購入もしくは入場ゲートの開放にも同様のことが提唱されている。
【０００３】
上記した自動販売機等における年齢確認システムとしては自動車運転免許証を利用し、その自動車運転免許証の挿入を受け、記載された生年月日を読み取り、何歳であるかを確認することが従来より行なわれており、その確認が終了すると、商品の販売機構等が稼動可能にスタンバイされることとなる。
【０００４】
また、自動車運転免許証は成人あるいは１８歳以上の全てが所有しているものではないので、かかる場合、年齢確認用として、自動販売機の業者や店舗あるいは施設側が各人専用の暗唱番号を記憶させたＩＤカードを発行し、そのＩＤカードを利用することができるように構成することもでき、この場合は電気的に接続されたテンキーで該暗唱番号を入力したり、生体確認すること等でスタンバイ状態とできる。
【０００５】
また従前、年齢確認用の証明カードとして運転免許証あるいは専用のＩＤカードの使用に限定されてしまうという点、これらのカードを所持していない時には自動販売機での商品購入や施設への入場等が一切でき得なくなってしまうという点、また、年齢を確認した後に、商品の代金やサービス料金を支払う媒体が多くの場合現金に限定されていることで、幾多ある支払い方法の全てが利用可能とはされていないという点が問題とされていた。
【０００６】
そこで、出願人は上記した問題を解決するため特許文献１として示す特許出願を行ない新たな自動チェック、精算システムを提供した。
【特許文献１】特願２００６−４４９６２号出願書類
【発明の開示】
【発明が解決しようとする課題】
【０００７】
本発明が解決しようとする問題点は無料で開催される各種のイベントであっても年齢制限を伴なう場合があり、その場合は年齢の確認（チェック）が必要とされるが、従前のシステム装置ではその大部分を占める金銭処理システムも年齢確認システム（機器）と同時に開催場へ搬入、搬出しなければならない煩雑さがあったという点である。
【課題を解決するための手段】
【０００８】
この問題点を解決するために、本発明に係る分離可能とした精算の実行または省略する機能を有する自動チェック、精算システムは年齢確認用の種々のカードやページ式の認証用書類を挿入し、そのカード等の真贋を判定するとともに、そのカード等の内容を確認し、その確認による信号で、商品の代金あるいはサービス等の料金の精算の実行または省略する機能により、イベント会場等では精算機能を切り離し前記カード類の確認部のみを実行させ、基地に戻った時点で全システムを再結合し機能を稼動可能とすることを特徴とし、複数台の前記カード類の確認部を複数台のＵＳＢ或いはＬＡＮ接続可能としたことを特徴とし、前記確認部にはＲＦＩＤプレートが固着されており、基地局より切り離す時ＲＦＩＤプレートリーダ／ライタにより暗号コードが書き込まれ、確認部が基地に戻った時点で前記同様にカードが読み取られ確認できたときその内部に記憶されている情報が読み取れるようにしたことを特徴としている。
【発明の効果】
【０００９】
本発明は上記のように構成されている。金銭処理を伴わない無料イベントの場合は前記システムから金銭処理システム部分を切り離し、カード等の内容確認と処理結果と記憶を行ない、その確認による信号で参加者を制御するだけで十分である場合が多く、料金精算を省略した自動チェック部分のみで十分である。イベント等の出発時にＲＦＩＤに暗号を記入し切り離し出発する。イベント終了後装置を基地に持ち帰り暗号コードを確認しＯＫであれば精算システムに連結し自動チェック、精算システムとし必要な情報処理を遂行することが可能となり、不要な精算システムを搬入、搬出する煩わしさが解消される。
【００１０】
また、多数個存在する自動チェック、精算システムから、料金の精算システムを一時的に切り離し運用可能としたことによりシステムがコンパクト、軽量移動容易となり、認証用書類の確認が確実にできるようになった。ＲＦＩＤで機器の確認をしたので、物品の確実な検査が容易にできるようになった。切り離した自動チェック部個々には、専用の外付あるいは内蔵のポータブル電源が接続されるのはいうまでもない事である。
【発明を実施するための最良の形態】
【００１１】
図面として示し、実施例の項に記したような構成としたことで実現した。
【実施例１】
【００１２】
次に、本発明の好ましい実施の一例を図面を参照して説明する。図１は本発明に係る分離可能な自動チェック、精算システムの概要を示すブロック図、図２は運転免許証の透かし模様を部分的に示す図、図３は同じく基地での使用例を示す図、図４は同じくイベント会場等での使用例を示す図である。
【００１３】
これらの図にあって１は、アルコール飲料、煙草等をはじめとする購入年齢が規制される商品の自動販売機の開閉扉、即ち、前面に装備されるカードの読取部を示しており、この読取部１にはカードの挿入口２が設けられている。この挿入口２は光学系センサーで挿入あるいは載置が検知されると強制的に内部にそのカードをローディングし、チェックが済むと自動排出するものとなっている。また、この読取部１はこの読取部１の個体識別のためのＲＦＩＤプレート１１が内蔵固着されている。
【００１４】
このカードの読取部１はやはり開閉扉の前面に装備されている操作部（キーボードパネル）３とコネクタを介在して電気的に接続されており、この操作部３は自動販売機の内部に装備されている電源部４とやはりケーブルコネクタ１３を介して電気的に接続されている。切り離して使用する際はポータブル電源１４を接続する。この電源部４はＡＣ１００Ｖの商業電源と接続され、自動販売機の接点また精算部と端子台５が電気的に接続されている。なお、６はパワースイッチ、７はヒューズ、８・８は取り付けプレートを示している。加えて、この電源部４内には操作部３から送られた信号をチェックするカードの識別装置も内蔵されている。
【００１５】
また、このシステムに於いて、使用できる年齢確認用カードは従来のように自動車運転免許証や専用のＩＤカードに加え、身分証明として使用可能な保険証（カードタイプのもの）、診察カード、各種の会員証（例えばゴルフクラブ会員証やスポーツクラブの会員証等）や社員証、学生証、パスポートそしてクレジットカード等、多種のものが使用可能とされている。
【００１６】
さらに、この年齢確認用カードとして運転免許証が使用される場合、光学系のセンサーやＣＣＤカメラ等を用いて生年月日を確認しそのデータを識別装置に送り年齢を確認することとなるが、それに先立って、挿入された運転免許証が真正なものか否かをチェックする必要がある。このチェックには行政機関の印影チェック等が行なわれるが、加えて免許証番号や運転免許証に刷り込まれている透かし模様９の状態等を識別装置でチェックすることとなる。
【００１７】
ここで、専用のＩＤカードを使用する場合、その使用者が本人か否かをチェックする必要があり、操作部３のテンキーを用い、例えば４桁の暗唱番号を入力し、それが合致すると、読取部１における購入可のランプが点灯する。違った場合は不可としてカードは返却される。４桁以外の暗証番号にも適用可能であることはいうまでもない事である。
【００１８】
また、その他の年齢確認用カードを使用した場合は、運転免許証を使用したときと同様に、格別に操作部３のキーを操作する必要はなく、該カードのデータを識別装置に送って年齢を確認すれば済むこととなる。
【００１９】
ここで、操作部３のテンキーを使用し、入力した場合、その暗唱番号は表示部３ａに表示され、自己の暗唱番号と一致しているか否かをチェックでき、確認ボタンスイッチを入力することとなる。しかし、この表示部３ａへの表示は他人にも盗み見られる虞もあるところであり、この操作部３に代えてあるいは併設して受光素子を設けておくこともできる。この受光素子も当然に読取部１や電源部４（識別装置）と電気的に接続される。この受光素子に対し、携帯電話機やＰＨＳから発光信号を入力し、確認作業をすることもでき、この場合該暗唱番号は自己の電話機の表示部に表示されるので、他人に盗み見られる危険性は極めて小さくなる。
【００２０】
このようにして、自動販売機が購入可の状態になった時、その商品の購入として、通常の現金をはじめ、接触式、非接触のＩＣチップを内蔵したカードや、携帯電話機に内蔵された電子マネーシステムも使用可能とされる。また、クレジットカードもそのまま利用できることとすることもでき、この際には暗唱番号が必要となるので、前記した操作部３の操作や、携帯電話機での発光信号の入力操作を行なうこととすることもできる。
【００２１】
また、本実施例において、請求項に記載されている確認部は特に電源部４（識別装置）を意味し、加えて、カード類等を挿入する読取部１との併合を意味している。この確認部は複数台のものをＵＳＢ或いはＬＡＮケーブル、ハブ１５を用いて接続され、さらにケーブルコネクタ１３を介して可能とされ、いずれの機器においても内容を閲覧することを可能としている。そして、この電源部４にはフレキシブルケーブル１２を介してＲＦＩＤプレート１１のリーダ／ライタ１０が接続されている。具体的には図３、図４として示すように基地にあっては、読取部と電源部４（リーダ／ライタ１０）とを１：１あるいは１：Ｎとして使用でき、イベント会場等ではポータブル電源１４やＡＣ１００Ｖを利用して、各ゲート等で単独で使用できる。ゲートがＮ個あればＮ台を使用し、ポータブル電源１４の内蔵タイプやＡＣアダプタタイプ等を繋いで使用できる。
【００２２】
そして、ＲＦＩＤプレート１１を含んだ確認部を本体より分離させ、イベント会場等へ搬入し、年齢のチェックのみを実行することができる。また、基地へ戻ったら、前記確認部を復元させて全てのシステムを再結合し、再びチェックと精算を実行するようにすることができる。ＲＦＩＤプレート１１には分離させる時に暗号コードが書き込まれ、基地に戻った時に、その読み取った内容、即ち、記憶させている情報をリーダ／ライタ１０によって読み取ることができることとしている。
【産業上の利用可能性】
【００２３】
本発明に係る分離可能な自動チェック、精算システムは上述のように構成されている。そのため、現状では年齢規制が設けられていても誰でも自由に利用できてしまう勝馬や勝者の投票券販売機や成人向けの薬品やサプリメントの販売機にも応用実施できる。実施例では自動販売機を対象として述べているが、各種の施設の入場や、必要とあれば有料駐車場の精算システム等々にも広く応用実施できる。また、年齢の制限が２０歳未満と１８歳未満、加えて映画等で１５歳未満を不可とする場合、その対象年齢に対応してスイッチ切替で対処することが可能となる。さらには、前記に加えてパスポートの利用で年齢確認も可能で、特に精算（支払い）は不要とし年齢確認のチェック機能用専用としても実施できることとなり、そのチェック内容で優待扱いが判れば、精算を無料とし、加えて、おまけやポイントを渡すこともできるシステムとできる。
【図面の簡単な説明】
【００２４】
【図１】本発明に係る分離可能な自動精算システムの概要を示すブロック図である。
【図２】運転免許証の透かし模様を部分的に示す図である。
【図３】基地での使用例を示す図である。
【図４】イベント会場等での使用例を示す図である。
【符号の説明】
【００２５】
１    読取部
２    挿入口
３    操作部
３ａ  表示部
４    電源部
５    端子台
６    パワースイッチ
６ａ  スイッチ
７    ヒューズ
８    取り付けプレート
９    透かし模様
１０  ＲＦＩＤプレートリーダ／ライタ
１１  ＲＦＩＤプレート
１２  フレキシブルケーブル
１３  ケーブルコネクタ
１４  ポータブル電源
１５  ハブ
【図１】
2007257432.tif 000003
【図２】
2007257432.tif 000004
【図３】
2007257432.tif 000005
【図４】
2007257432.tif 000006